(57)【要約】【課題】残菜フィルターに残菜が残ったまま放置されても、残菜の臭いが洗浄槽の外に出たり、食器に雑菌が付着したりして洗浄槽内が不衛生な状態になることを抑制することができる食器洗い機を提供すること。【解決手段】第１の経路１８とで洗浄槽２から排出された空気を再び前記洗浄槽２内に戻す空気循環経路２３を構成する第２の経路１９内に、第２の送風手段２１と、光触媒を有した除菌フィルター２８と前記除菌フィルター２８に光を照射する照射手段２９とからなる除菌手段２０とを備えるとともに、前記第２の送風手段２１を動作させて前記洗浄槽２から排気された空気を前記除菌手段２０に導くことによって除菌することにより、残菜の臭いが洗浄槽２の外に出たり、食器４に雑菌が付着したりして洗浄槽２内が不衛生な状態になることを抑制することができる。【選択図】図１
2010187799.tif 000002
【特許請求の範囲】
【請求項１】
食器等の被洗浄物を収納する洗浄槽と、前記洗浄槽内に設けられた洗浄手段と、前記洗浄槽内に外気を送る第１の送風手段を内部に備えた送風経路と、前記洗浄槽内と機外とを連通する第１の経路と、前記第１の経路と前記洗浄槽内とに接続され、前記第１の経路とで前記洗浄槽から排出された空気を再び前記洗浄槽内に戻す空気循環経路を構成する第２の経路と、前記第２の経路に接続されるとともに機外に連通する第３の経路とを備え、前記第２の経路内に、第２の送風手段と、光触媒を有した除菌フィルターと前記除菌フィルターに光を照射する照射手段とからなる除菌手段とを備えるとともに、前記第２の送風手段を動作させて前記洗浄槽から排気された空気を前記除菌手段に導くことによって除菌する食器洗い機。
【請求項２】
第２の経路と第３の経路との接続部に空気の流れを切り替える切替弁を設けるとともに、第２の送風手段は正回転と逆回転とを切り替えることができる構成とした請求項１記載の食器洗い機。
【請求項３】
切替弁は第２の送風手段に対し第１の経路とは反対側に設けられ、前記第２の送風手段の正逆回転および前記切替弁の切り替えにより、洗浄槽内の空気が、空気循環経路を経て除菌手段により除菌されて循環する場合、除菌手段により除菌されて機外に排出される場合、および外気と混合する場合のいずれかに切り替えることができる構成とした請求項２記載の食器洗い機。
【請求項４】
切替弁は第２の送風手段に対し第１の経路側に設けられ、前記第２の送風手段の正逆回転および前記切替弁の切り替えにより、洗浄槽内の空気を空気循環経路を経て除菌手段により除菌して循環する場合、洗浄槽内の空気を除菌手段により除菌して機外に排出する場合、および外気を洗浄槽内に供給する場合のいずれかに切り替えることができる構成とした請求項２記載の食器洗い機。
【発明の詳細な説明】
【技術分野】
【０００１】
本発明は、光触媒を含んだ除菌フィルタ−に光を照射することにより洗浄槽から排出された空気を除菌する食器洗い機に関するものである。
【背景技術】
【０００２】
従来の食器洗い機は、加熱した洗浄水を用いて被洗浄物などを殺菌していた（例えば、特許文献１参照）。
【０００３】
図５は、特許文献１に記載された従来の食器洗い機を示すものである。図５において、食器洗い機本体は、被洗浄物を収容する洗浄槽１０１と、前記洗浄槽１０１内に設けられるとともに被洗浄物を収納する食器かご１０２と、前記食器かご１０２に収納した被洗浄物に水を噴射する洗浄ノズル１０３と、前記洗浄ノズル１０３に水を供給する洗浄ポンプ１０４と、洗浄、すすぎ、乾燥の各行程を制御する制御手段１０５と、前記洗浄槽１０１に水を供給する給水手段１０６と、さらに前記洗浄槽１０１の水が外部に飛び散ることを防止する蓋１０７と、洗浄水を加熱する加熱手段１０８と、食器に付着していた異物などによって汚染された洗浄水をろ過する残菜フィルター１０９とで構成され、加熱した洗浄水を用いて食器の殺菌を行っていた。
【特許文献１】特開２０００−１８９３７７号公報
【発明の開示】
【発明が解決しようとする課題】
【０００４】
しかしながら、前記従来の構成では、洗浄ポンプ１０４で加圧された水を洗浄ノズル１０３から被洗浄物である食器に噴射して洗浄していたが、加熱した洗浄水を食器に噴射して食器を除菌しても、食器を洗浄して数日間食器を放置した場合などは、残菜フィルター１０９に残った残菜に雑菌が繁殖し、臭いが発生したり、食器に雑菌が付着したりして洗浄槽１０１内が不衛生な状態になりやすいという課題を有していた。
【０００５】
本発明は、上述の課題を解決するもので、残菜フィルターに残菜が残ったまま放置されても、残菜の臭いが洗浄槽の外に出たり、食器に雑菌が付着したりして洗浄槽内が不衛生な状態になることを抑制することができる食器洗い機を提供することを目的としている。
【課題を解決するための手段】
【０００６】
上記従来の課題を解決するために、本発明の食器洗い機は、食器等の被洗浄物を収納する洗浄槽と、前記洗浄槽内に設けられた洗浄手段と、前記洗浄槽内に外気を送る第１の送風手段を内部に備えた送風経路と、前記洗浄槽内と機外とを連通する第１の経路と、前記第１の経路と前記洗浄槽内とに接続され、前記第１の経路とで前記洗浄槽から排出された空気を再び前記洗浄槽内に戻す空気循環経路を構成する第２の経路と、前記第２の経路に接続されるとともに機外に連通する第３の経路とを備え、前記第２の経路内に、第２の送風手段と、光触媒を有した除菌フィルターと前記除菌フィルターに光を照射する照射手段とからなる除菌手段とを備えるとともに、前記第２の送風手段を動作させて前記洗浄槽から排気された空気を前記除菌手段に導くことによって除菌することにより、残菜フィルターに残菜が残ったまま放置されても、残菜の臭いが洗浄槽の外に出たり、食器に雑菌が付着したりして洗浄槽内が不衛生な状態になることを抑制することができる。
【発明の効果】
【０００７】
本発明の食器洗い機によれば、残菜フィルターに残菜が残ったまま放置されても、残菜の臭いが洗浄槽の外に出たり、食器に雑菌が付着したりして洗浄槽内が不衛生な状態にな
ることを抑制することができる。
【発明を実施するための最良の形態】
【０００８】
本発明の請求項１に記載の発明は、食器等の被洗浄物を収納する洗浄槽と、前記洗浄槽内に設けられた洗浄手段と、前記洗浄槽内に外気を送る第１の送風手段を内部に備えた送風経路と、前記洗浄槽内と機外とを連通する第１の経路と、前記第１の経路と前記洗浄槽内とに接続され、前記第１の経路とで前記洗浄槽から排出された空気を再び前記洗浄槽内に戻す空気循環経路を構成する第２の経路と、前記第２の経路に接続されるとともに機外に連通する第３の経路とを備え、前記第２の経路内に、第２の送風手段と、光触媒を有した除菌フィルターと前記除菌フィルターに光を照射する照射手段とからなる除菌手段とを備えるとともに、前記第２の送風手段を動作させて前記洗浄槽から排気された空気を前記除菌手段に導くことによって除菌する食器洗い機であり、食器の洗浄後に残菜などが残菜フィルターに残ったまま放置されたとしても、第２の送風手段を動作させることにより、洗浄槽内から排出された空気を除菌手段に導くことにより除菌することができ、放置された残菜から発生する臭いをキッチンなどに出ることを抑制することができる。また、洗浄槽内に放置された食器に雑菌が付着したりして洗浄槽内が不衛生な状態になることを抑制することができる。
【０００９】
請求項２に記載の発明は、請求項１に係る発明において、第２の経路と第３の経路との接続部に空気の流れを切り替える切替弁を設けるとともに、第２の送風手段は正回転と逆回転とを切り替えることができる構成とした食器洗い機であり、切替弁と第２の送風手段の正逆回転との切り替えを行うことにより、洗浄槽内から排出される空気を、排出するまでに除菌手段で除菌するだけでなく、第１の経路、第２の経路、洗浄槽の順に空気循環経路を循環させ、循環の間に洗浄槽内から排出される空気を除菌手段で除菌することができるとともに、洗浄槽内に放置された食器に雑菌が付着したりして洗浄槽内が不衛生な状態になることを抑制することができる。また、第２の送風手段の駆動により、第３の経路を通じ吸気した外気を、第１の経路において、第１の送風手段によって送風経路から洗浄槽内に取り込まれ洗浄槽から排出される空気に混合することにより、機外に排出される空気の温度および湿度を低減させることができる。
【００１０】
請求項３に記載の発明は、請求項２に記載の発明において、切替弁は第２の送風手段に対し第１の経路とは反対側に設けられ、前記第２の送風手段の正逆回転および前記切替弁の切り替えにより、洗浄槽内の空気が、空気循環経路を経て除菌手段により除菌されて循環する場合、除菌手段により除菌されて機外に排出される場合、および外気と混合する場合のいずれかに切り替えることができる構成とした食器洗い機であり、第２の送風手段および切替弁の切り替えにより、洗浄槽内の空気が、第１の経路、第２の経路、洗浄槽の順に空気循環経路を循環する場合に、第２の経路内の除菌手段により除菌されるので、洗浄槽内の空気を清浄化することができるとともに、洗浄槽内に放置された食器に雑菌が付着したりして洗浄槽内が不衛生な状態になることを抑制することができる。また、洗浄槽内の空気が、第２の経路、第１の経路の順に送られ機外に排出される場合、および、第１の経路、第２の経路、第３の経路の順に送られ機外に排出される場合、第２の経路内の除菌手段により除菌されて排出されるので、排出される空気の臭いが食器洗い機外に出ることを抑制することができる。また、食器洗い機外の外気が第３の経路、第２の経路、第１の経路の順に送られ、第１の経路において洗浄槽から排出された空気と混合する場合、排出される空気の温度および湿度が低下するので、安全に排気を行うことができる。
【００１１】
請求項４に記載の発明は、請求項２に記載の発明において、切替弁は第２の送風手段に対し第１の経路側に設けられ、前記第２の送風手段の正逆回転および前記切替弁の切り替えにより、洗浄槽内の空気を空気循環経路を経て除菌手段により除菌して循環する場合、洗浄槽内の空気を除菌手段により除菌して機外に排出する場合、および外気を洗浄槽内に
供給する場合のいずれかに切り替えることができる構成とした食器洗い機であり、第２の送風手段および切替弁の切り替えにより、洗浄槽内の空気が、第１の経路、第２の経路、洗浄槽の順に空気循環経路を循環する場合に、第２の経路内の除菌手段により除菌されるので、洗浄槽内の空気を清浄化することができるとともに、洗浄槽内に放置された食器に雑菌が付着したりして洗浄槽内が不衛生な状態になることを抑制することができる。また、洗浄槽内の空気が、第２の経路、第１の経路の順に送られ機外に排出される場合、第２の経路内の除菌手段により除菌されて排出されるので、排出される空気の臭いが食器洗い機外に出ることを抑制することができる。また、食器洗い機外の外気が第３の経路を通じ洗浄槽内に供給される場合、洗浄槽内に供給される外気の量が増加するので、食器の乾燥が促進され、乾燥行程の時間を短縮することができる。
【００１２】
以下、本発明の実施の形態に係る食器洗い機について、図１から図４を参照しながら説明し、本発明の理解に供する。なお、この実施の形態によって本発明が限定されるものではない。
【００１３】
（実施の形態１）
図１と図２は、本発明の実施の形態１における食器洗い機の断面図である。図１と図２において、食器洗い機は、筐体１内に設けられた洗浄槽２と、洗浄槽２内に水を給水する給水弁等の給水手段３と、洗浄槽２内に設けられ、食器４等の被洗浄物を載置する食器かご５と、洗浄槽２の底部のほぼ中央に回転中心が位置するように設けられ、被洗浄物に洗浄水を噴射する洗浄手段である回転洗浄ノズル６と、洗浄槽２の内壁側面に設けられた洗浄手段である非回転洗浄ノズル８と、洗浄方向の駆動によって洗浄水を加圧して回転洗浄ノズル６および非回転洗浄ノズル８に洗浄水を供給し、または排水方向の駆動によって排水を行う洗浄・排水ポンプ７と、洗浄、すすぎ、乾燥の各行程を制御する制御手段９とを備えている。
【００１４】
また、この食器洗い機は、洗浄槽２の底部に設けられ、洗浄槽２内の洗浄水もしくは洗浄槽２内の空気を加熱するヒータ等の加熱手段２４と、洗浄・排水ポンプ７の運転により洗浄水が循環するために設けられた洗浄水循環経路２５と、洗浄槽２の底部に設けられ循環する洗浄水をろ過する残菜フィルター２６とを備えている。
【００１５】
さらに、この食器洗い機は、筐体１の前面外壁の上部に設けられた排気口１０と、筐体１の前面外壁の下部に設けられた吸気口１１および第１の通気口１２と、洗浄槽２の前面内壁の下部に設けられた送風口１３および第２の通気口１４と、洗浄槽２の前面内壁の上部に設けられた排出口１５と、吸気口１１と送風口１３とを連通する送風経路１６と、送風経路１６に配置され洗浄槽２内に吸気口１１から筐体１外の空気を送り込むファン等の第１の送風手段１７と、排出口１５と排気口１０とを連通する第１の経路１８と、第１の経路１８から分岐して第２の通気口１４と連通する第２の経路１９と、第１の通気口１２と第２の経路１９とを接続、連通する第３の経路２２とを備えている。
【００１６】
第２の経路１９には、第１の経路１８側に第２の経路１９を通過する空気を除菌する除菌手段２０が、第２の通気口１４側に制御手段９の制御により正逆回転可能なファン等の第２の送風手段２１が、それぞれ設けられている。そして、これらにより、排出口１５から排出された洗浄槽２内の空気を、第１の経路１８から第２の経路１９中を、除菌手段２０、第２の送風手段２１の順で経由して第２の通気口１４から再び洗浄槽２内に送り込む空気循環経路２３が構成されている。
【００１７】
また、第３の経路２２は、第２の送風手段２１より第２の通気口１４側、すなわち第２の送風手段２１に対し第１の経路１８とは反対側で第２の経路１９と接続されており、その接続部には制御手段９の制御により除菌手段２０を流れる空気の経路を切り替える切替
弁２７が設けられており、この切替弁２７によって、第２の通気口１４と第２の送風手段２１を連通させるか、第１の通気口１２と第２の送風手段２１を連通させるか選択できるように構成されている。
【００１８】
また、除菌手段２０は、リン酸ジルコニウム銀など銀を有する化合物からなる光触媒を有する除菌フィルター２８と、除菌フィルター２８に光を照射する照射手段２９を備えている。除菌手段２０は、空気に存在する菌などを強制的に除菌するとともに、空気中の有機物質を分解させて脱臭をも実現することができる。照射手段２９は、光触媒を励起することができる波長を含む光を除菌フィルター２８に照射することができ、基板に複数配置されている。
【００１９】
なお、本実施の形態では照射手段２９は空気循環経路２３に臨ませているが、洗浄槽２内にも臨ませることによって、除菌フィルター２８だけでなく洗浄槽２内にも光を照射することができる。また、照射手段２９が照射する光の波長は可視光領域であることが好ましいが、紫外線領域の波長の光でも銀の除菌もしくは脱臭効果を高めることができる。
【００２０】
また、本実施の形態の洗浄・排水ポンプ７に代えて、洗浄と排水共に専用のポンプを採用することもできる。これにより、洗浄のための配管およびポンプの設置と、排水のための配管とポンプの配置が個別に最適設計できる。
【００２１】
また、本実施の形態では洗浄槽２底部のほぼ中央に回転中心がある回転洗浄ノズル６について記載したが、洗浄槽２底部に回転洗浄ノズル６を複数設けてもよく、また上方および下方の食器４等の被洗浄物に洗浄水を噴射するために上下に複数の洗浄ノズルを設けてもよい。
【００２２】
また、本実施の形態では非回転洗浄ノズル８について記載したが、回転洗浄ノズル６のみで被洗浄物を洗浄してもよい。
【００２３】
以上のように構成された食器洗い機について、以下その動作、作用を説明する。まず、洗浄槽２内の食器かご５に被洗浄物である食器４等を収納する。
【００２４】
次に、使用者が、所定の洗浄コースを設定し、開始のボタンを押して洗い行程が開始される。洗い行程では、最初に給水手段３を開成して給水管から洗浄槽２に給水が行われ、所定量の給水が行われると給水手段３を閉成して給水停止し、加熱手段２４および洗浄・排水ポンプ７の運転により洗浄手段である回転洗浄ノズル６と非回転洗浄ノズル８から温水を噴出させて被洗浄物である食器４に洗浄水を噴射する。洗浄水が噴出する反力で回転洗浄ノズル６が回転することで被洗浄物に洗浄水を行き渡らせ、洗浄性を高めている。
【００２５】
なお、本実施の形態では、加熱手段２４を運転して温水で洗浄するコースについて記載したが、被洗浄物の汚れが弱い場合は加熱手段２４を運転させずに給水温度で洗浄すれば良く、また被洗浄物の汚れが強い場合は洗剤を入れて洗浄する。洗浄運転が終了すると洗浄・排水ポンプ７の排水方向の駆動によって排水を行う。
【００２６】
次に、すすぎ行程では、洗浄運転と同様に給水を行い、洗浄・排水ポンプ７の運転と、必要により加熱手段２４を運転して、回転洗浄ノズル６と非回転洗浄ノズル８から水を噴出させて被洗浄物のすすぎを行う。すすぎ行程では、給水と洗浄・排水ポンプ７の運転によるすすぎと排水とからなるすすぎ運転を合計３回前後行うが、このうち最後のすすぎ運転では、すすぎ行程の後に行う乾燥行程において、短時間で効率よく被洗浄物を乾燥するために、被洗浄物を暖めておくのが好ましく、６０℃〜７０℃程度の高温水で最終すすぎ運転を実施する。最後のすすぎ運転終了後は、他の洗浄運転終了時と同様に洗浄槽２内の
すすぎ水を排水する。
【００２７】
次に行う乾燥行程では、最終すすぎ運転により高温高湿になっている洗浄槽２内の蒸気を排出して被洗浄物を乾かすため、第１の送風手段１７を所定時間駆動する。
【００２８】
乾燥行程が終了した後、洗浄槽２内の食器４の全てまたは一部が置いたままにされ、必要になるときまで洗浄槽２内に放置されている場合がある。一方、残菜フィルター２６に付着した残菜等が除去されず残されている場合も多いので、食器洗い機の運転が終わり、所定時間経過すると残菜から臭いが発生し、洗浄槽２内に溜まることがある。また、食器４が放置される時間によっては、残菜に発生した菌が食器４等に付着する場合もある。
【００２９】
そのため、本発明の食器洗い機は、通常の洗浄行程とは別に、第２の送風手段２１を駆動させて洗浄槽２内の空気を除菌および脱臭する除菌行程が設けられている。除菌行程は、乾燥行程時もしくは乾燥行程終了後に行う。
【００３０】
この除菌行程において、図１に示すように、切替弁２７で第２の送風手段２１と第２の通気口１４とを連通させ、第１の通気口１２と第２の送風手段２１を遮断した後、第２の送風手段２１を正回転させると、図１にＡとして流路を示すように、排出口１５から排出された空気は第１の経路１８から第２の経路１９中を、除菌手段２０、第２の送風手段２１の順で経由して第２の通気口１４から再び洗浄槽２内に戻るという順で空気循環経路２３内を循環する。
【００３１】
それとほぼ同時に複数の照射手段２９が除菌フィルター２８を照射して除菌効果のあるヒドロキシラジカルを生成させ、第２の送風手段２１によって除菌手段２０に導かれた空気が除菌手段２０を通過する際に除菌または脱臭を行う。この除菌行程を所定の時間行うことによって、機外には除菌・脱臭された空気のみが排出されることとなる。食器４を洗浄槽２内に放置した場合でも同様の除菌行程を行うことにより、除菌・脱臭をすることができる。また、洗浄槽２内に放置された食器４に雑菌が付着したりして洗浄槽２内が不衛生な状態になることを抑制することができる。
【００３２】
また、乾燥行程中に、図１に示す切替弁２７の状態で、第２の送風手段２１を上記とは逆の方向に回転させると、第１の送風手段１７が吸気口１１から外気を吸い込み、送風口１３から洗浄槽２内に送り込んで、洗浄槽２内の蒸気を排出口１５、第１の経路１８、排気口１０の順で筺体１外へ押し出すのに加えて、図１にＢとして流路を示すように、洗浄槽２内の蒸気を第２の通気口１４から第２の経路１９、第１の経路１８の順に経由して、排気口１０から排出することができ、より早く洗浄槽２内の蒸気を排出することができるため、乾燥性能を向上させることができる。
【００３３】
また、図２に示すように、切替弁２７を切り替えて、第２の送風手段２１と第１の通気口１２を連通させ、第２の送風手段２１と第２の通気口１４を遮断した後、第２の送風手段２１を正回転させると、図２にＣとして流路を示すように、排出口１５から排出された空気は第１の経路１８から第２の経路１９中を、除菌手段２０、第２の送風手段２１の順で経由し、さらに第３の経路２２を経由して第１の通気口１２から機外に排出される。それとほぼ同時に複数の照射手段２９が除菌フィルター２８を照射し、除菌または脱臭を行う除菌行程を所定の時間行うことによって、機外には除菌・脱臭された空気のみが排出されることとなる。
【００３４】
なお、この際、排出口１５は第１の経路１８を介して排気口１０と連通しているが、第２の送風手段２１を正回転させることで排気口１０からも外気が吸引されることになるので、排出口１５から排出された空気が除菌・脱臭されずに排気口１０から機外に排出され
ることはない。
【００３５】
また、既述のとおり、乾燥行程の初期には、最終すすぎ運転により高温高湿になっている洗浄槽２内の蒸気を排出して乾燥させるため、排気口１０から排出される蒸気は高温である。そのとき、図２に示す切替弁２７の状態で、第２の送風手段２１を逆回転させると、図２にＤとして流路を示すように、第２の送風手段２１によって第１の通気口１２から吸い込まれ、第２の経路１９を経由してきた外気と、Ｅとして流路を示すように、第１の送風手段１７によって吸気口１１から洗浄槽２内に吸い込まれ、排出口１５から排出される蒸気とを、第１の経路１８内で混合することができ、排気口１０から筺体１外へ排出される蒸気の温度低減を図ることができる。このようにして、使用者が排気口１０から排出される高温高湿の蒸気に触れるおそれを軽減でき、安全に使用することができる。
【００３６】
（実施の形態２）
図３と図４は、本発明の実施の形態２における食器洗い機の断面図である。本実施の形態の構成が実施の形態１の構成と異なる点は、第１の通気口１２が筐体１の前面外壁の上部に設けられ、第３の経路２２は、除菌手段２０および第２の送風手段２１より第１の経路１８側で第２の経路１９と接続されている点である。他の構成は上記実施の形態１と同じであり、同じ構成のものは同じ符号を付け説明を省略する。
【００３７】
図３と図４において、第１の通気口１２は第３の経路２２で第２の経路１９と連通されており、除菌手段２０および第２の送風手段２１より第１の経路１８側の第２の経路１９と第３の経路２２との接続部に設けられた切替弁２７によって、排出口１５と第２の送風手段２１を連通させるか、第１の通気口１２と第２の送風手段２１を連通させるか選択できるように構成されている。
【００３８】
以上のように構成された食器洗い機について、以下その動作、作用を説明する。まず、図３に示すように切替弁２７を切り替えて、排出口１５と第２の送風手段２１を連通させ、第１の通気口１２と第２の送風手段２１を遮断した後、第２の送風手段２１を正回転させ、除菌手段２０を動作させれば、排出口１５から排出された空気を第１の経路１８から第２の経路１９中を、除菌手段２０、第２の送風手段２１の順で経由して第２の通気口１４から再び洗浄槽２内に戻るという順で循環させることで、実施の形態１と同様の除菌行程が行え、機外には除菌・脱臭された空気のみを排出することができる。食器４を洗浄槽２内に放置した場合でも同様の除菌行程を行うことにより、除菌・脱臭をすることができる。また、洗浄槽２内に放置された食器４に雑菌が付着したりして洗浄槽２内が不衛生な状態になることを抑制することができる。
【００３９】
また、乾燥行程中に、図３に示す切替弁２７の状態で、第２の送風手段２１を上記とは逆の方向に回転させると、第１の送風手段１７による排出に加えて、洗浄槽２内の蒸気を第２の通気口１４から第２の経路１９、第１の経路１８の順に経由して、排気口１０から排出することができ、実施の形態１と同様に、より早く洗浄槽２内の蒸気を排出することができるため、乾燥性能を向上させることができる。
【００４０】
また、図４に示すように切替弁２７を切り替えて、第１の通気口１２と第２の送風手段２１を連通させ、排出口１５と第２の送風手段２１を遮断した後、第２の送風手段２１を正回転させれば、第１の送風手段１７が吸気口１１から外気を吸い込み、送風口１３から洗浄槽２内に送り込んで、洗浄槽２内の蒸気を排出口１５、第１の経路１８、排気口１０の順で筺体１外へ押し出すのに加えて、第２の送風手段２１が第１の通気口１２からも外気を吸い込み、第２の通気口１４から洗浄槽２内に送り込んで洗浄槽２内の蒸気を押し出すため、より早く洗浄槽２内の蒸気を排出することができ、乾燥性能を向上させることができる。
【００４１】
また、図４に示す切替弁２７の状態で、第２の送風手段２１を逆回転させれば、第１の送風手段１７が吸気口１１から外気を吸い込み、送風口１３から洗浄槽２内に送り込んで、洗浄槽２内の蒸気を排出口１５、第１の経路１８、排気口１０の順で筺体１外へ押し出すのに加えて、第２の送風手段２１が第２の通気口１４から洗浄槽２内の蒸気を吸い込み第１の通気口１２から排出するため、より早く洗浄槽２内の蒸気を排出することができ、乾燥性能を向上させることができる。
【産業上の利用可能性】
【００４２】
本発明の食器洗い機は、銀を含んだ除菌フィルタ−に光を当てて生成させた除菌効果のあるヒドロキシラジカルで洗浄槽から排出される空気や洗浄槽に送り込む空気を除菌することで、残菜の臭いが洗浄槽の外に出たり、食器に雑菌が付着したりして洗浄槽内が不衛生な状態になることを抑制することができるので、キッチン等に設置して使用される食器洗い機や食器乾燥機等として有用である。
【図面の簡単な説明】
【００４３】
【図１】本発明の実施の形態１の食器洗い機の切換弁を第２の送風手段と第２の通気口とが連通するよう切り替えた状態の断面図
【図２】同食器洗い機の切換弁を第２の送風手段と第１の通気口とが連通するよう切り替えた状態の断面図
【図３】本発明の実施の形態２の食器洗い機の切換弁を第２の送風手段と洗浄槽の排出口とが連通するよう切り替えた状態の断面図
【図４】同食器洗い機の切換弁を第２の送風手段と第１の通気口とが連通するよう切り替えた状態の断面図断面図
【図５】従来の食器洗い機の断面図
【符号の説明】
【００４４】
１  筐体
２  洗浄槽
３  給水手段
４  食器（被洗浄物）
５  食器かご
６  回転洗浄ノズル（洗浄手段）
７  洗浄・排水ポンプ
８  非回転洗浄ノズル（洗浄手段）
９  制御手段
１０  排気口
１１  吸気口
１２  第１の通気口
１３  送風口
１４  第２の通気口
１５  排出口
１６  送風経路
１７  第１の送風手段
１８  第１の経路
１９  第２の経路
２０  除菌手段
２１  第２の送風手段
２２  第３の経路
２３  空気循環経路
２４  加熱手段
２５  洗浄水循環経路
２６  残菜フィルター
２７  切替弁
２８  除菌フィルター
２９  照射手段
【図１】
2010187799.tif 000003
【図２】
2010187799.tif 000004
【図３】
2010187799.tif 000005
【図４】
2010187799.tif 000006
【図５】
2010187799.tif 000007